(57)【要約】【課題】  相手方ピンコンタクトを挿入する際ソケットコンタクトが座屈するのを防止し、ピンコンタクトとソケットコンタクトの接触信頼性を向上し、かつクロストークノイズに対する低減ができるようにすること。【解決手段】  ソケットコンタクトの後方に設けたスリーブ止め凸部５からソケットコンタクト２の接触片４の先端曲げ開き部分６の曲がり始め部までに被せた筒状スリーブ７によりソケットコンタクト２を従来のように後退させることなく座屈防止を実現し、且つ筒状スリーブ７の材質をフェライトにすることによりノイズ対策が可能で、また相手方ピンコンタクト３の挿入時ソケットコンタクト２の接触片４とが平行になるようにして接触摺動面積を大きくし接触信頼性を高めた構成とする。【選択図】        図１
2005310564.tif 000002
【特許請求の範囲】
【請求項１】
（イ）  ソケットコンタクトを保持するインシュレータと、
（ロ）  軸方向にすり割で分割され、挿入される相手方ピンコンタクトの接触摺動部分を弾性的に挟み囲む複数の接触片の先端部分が外側へ曲げ開かれているソケットコンタクトと、
（ハ）  ソケットコンタクトの後方に設けられたスリーブ止め凸部から前記接触片の先端曲げ開き部分の曲がり始め部までに被せられた筒状スリーブと、
を有し、
ソケットコンタクトの接触片を内側に窄めたときの、曲げ開かれた部分の先端外周の径は前記筒状スリーブの内径より小さく、窄めないときの外周径は筒状スリーブの内径よりも大であることを特徴とする座屈防止ソケットコネクタ。
【請求項２】
筒状スリーブにフェライトを用いたことを特徴とする請求項１記載の座屈防止ソケットコネクタ。
【発明の詳細な説明】
【技術分野】
【０００１】
本発明は、ソケットコンタクトの先端を外側に曲げ開き、かつ該ソケットコンタクトの外周に筒状スリーブを被せることによりソケットコンタクトの座屈を防止するソケットコネクタの技術分野に属する。
【背景技術】
【０００２】
従来、座屈防止コネクタには次のような例がある。
図３は従来の座屈防止ソケットコネクタの例を示す図である。高密度ソケットコンタクト２１の二股に分かれた接点バネ２３の前方両サイドに突起２５付き座屈防止ランス２４を設けて一体化した構造からなる。
【０００３】
雄コネクタのピンコンタクト２７が雌コネクタ２６のハウジング２２内の高密度ソケットコンタクト２１に挿入されると、二股に分かれた接点バネ２３の前方両サイドに突起２５付き座屈防止ランス２４が設けてある為、相手方コネクタのピンコンタクト２７は挿入されるにつれて、挿入角度が序々に修正され、２つの接点バネ２３の間に自然と誘導され接点バネにストレートに衝突することなく従って、ソケットコンタクトの座屈などを起こすことなくスムーズに雌雄コネクタが嵌合される（例えば、特許文献１参照）。
【特許文献１】実開平６−６８３２５号公報（図１（ハ））
【発明の開示】
【発明が解決しようとする課題】
【０００４】
しかしながら、上記背景技術で述べた例での対策では、挿入される相手方コネクタのピンコンタクトと接触する雌側コネクタの接点バネが、座屈防止対策のために設けた突起の後方に位置するため相手方ピンコンタクトを挿入したときの摺動距離が短いこと及び接点バネの形状が突起状になっているため、挿入される相手方コネクタのピンコンタクトの接触面積が少なく接触の信頼性に欠ける面があるという問題がある。
【０００５】
本発明は、上記従来技術の問題点に鑑みて、従来例のようにソケットコンタクトの前に座屈防止ランスなどを設けることなく、相手側ピンコンタクトを挿入する際、ソケットコンタクトが座屈するのを防止するとともに、ピンコンタクトとソケットコンタクトの接触信頼性を向上し、かつクロストークノイズに対する対策をも十分に実施できるソケットコネクタを提供することを課題とするものである。
【課題を解決するための手段】
【０００６】
本発明は、上記の課題を解決するため、以下の構成を有する。
本発明の第１の構成は、
（イ）  ソケットコンタクトを保持するインシュレータと、
（ロ）  軸方向にすり割で分割され、挿入される相手方ピンコンタクトの接触摺動部分を弾性的に挟み囲む複数の接触片の先端部分が外側へ曲げ開かれているソケットコンタクトと、
（ハ）  ソケットコンタクトの後方に設けられたスリーブ止め凸部から前記接触片の先端曲げ開き部分の曲がり始め部までに被せられた筒状スリーブと、
を有し、
ソケットコンタクトの接触片を内側に窄めたときの、曲げ開かれた部分の先端外周の径は前記筒状スリーブの内径より小さく、窄めないときの外周径は筒状スリーブの内径よりも大であることを特徴とする座屈防止ソケットコネクタである。
【０００７】
本発明の第２の構成は、前記第１の構成において、筒状スリーブにフェライトを用いたことを特徴とする座屈防止ソケットコネクタである。
【発明の効果】
【０００８】
以上のように、本発明のコネクタはソケットコンタクトが筒状スリーブ内に挿入された状態にあり、ソケットコンタクトの接触片の先端は筒状スリーブから出たところで外側へ曲げ開かれており、その曲げ開かれた外周の径はスリーブの内径よりも大となっているから、相手方ピンコンタクトの嵌合挿入時、挿入方向が逸れてピンコンタクトの先端がソケットコンタクトの接触片先端の曲げ開かれた部分に当接して、挿入押圧力が加えられたとしても曲げ開かれた部分の裏側には筒状スリーブの先端が来ており、それが丁度曲げ開かれた部分を裏側から支えている形になり、曲げ開かれた部分は筒状スリーブの縁に押し付けられるだけで座屈しない。
【０００９】
また、座屈防止のために従来例のようにソケットコンタクトの前方にランスを設けるようなことはしていないので、そのような構造のスペースのためにソケットコンタクトを後退させることもしていないので、相手方ピンコンタクトとの摺動距離も長くとることができ、更に、ソケットコンタクトに、相手方ピンコンタクトとの接触のための接点突起を設けることなく、相手方ピンコンタクトを挿入したときに、接触片が押し開かれて丁度ピンコンタクトの表面と平行に接触するようになっているため、接触面積が広くなり接触の信頼性が高くなるという効果がある。
【００１０】
また、筒状スリーブの材質をフェライトにすることにより、隣接するコンタクト間のクロストークノイズを低減することができるという効果もある。
【発明を実施するための最良の形態】
【００１１】
本発明実施の形態としては、まず第１にソケットコンタクトを保持するインシュレータの、ソケットコンタクトへの導入口にすり鉢状のガイド部を設けることが最良である。
また、ソケットコンタクトの径は、相手方ピンコンタクトが挿入されたとき、ソケットコンタクトの各接触片がピンコンタクトの表面に丁度平行に接する径とするのが最良である。
【００１２】
こうすることにより、両コンタクト間の接触面積が拡がり接触の信頼性が高くなる。
筒状スリーブの材質は、金属でも合成樹脂でもソケットコンタクトの座屈を防止できる強度のあるものであればよいが、フェライトのように隣接コンタクト間のクロストークノイズを防止できるものが最良である。
【００１３】
ソケットコンタクトは、ハウジングの背面から単に押し込むだけで固定され、かつ、後抜け防止がされるよう、ソケットコンタクトの可撓係止片が、ハウジングに設けた後抜け防止凹部と係合することにより係止する構造とするのが単純でよい。
【実施例】
【００１４】
本発明を適用した座屈防止ソケットコネクタは、軸方向にすり割で分割され、挿入される相手方ピンコンタクトの接触摺動部分を弾性的に挟み囲む複数の接触片の先端部分が外側へ曲げ開かれているソケットコンタクトと、該ソケットコンタクトの外側に被せられた筒状スリーブとにより、挿入されたピンコンタクトによるソケットコンタクトの座屈を防止する構造のものであるが、図１の（ａ）は、本発明を適用した座屈防止ソケットコネクタの平断面図であり、左側のソケットコンタクトは相手方ピンコンタクト挿入していない状態を示し、右側のソケットコンタクトは相手方ピンコンタクトが挿入された状態を示している。図１の（ｂ）は、ピンコンタクトがソケットコンタクトに挿入されていない状態の正面図である。
図２は、図１に示す座屈防止ソケットコネクタの側面断面図で、ソケットコンタクトが正常位置で係止している状態を示している。
【００１５】
図１を参照して座屈防止ソケットコネクタの概略の構造を説明する。図１（ａ）は、インシュレータ１で囲われた１つ１つのコンタクト孔にソケットコンタクトを圧入した状態の平断面図を示しており、左側のソケットコンタクト２は、相手方のピンコンタクトが挿入されていない状態を、また右側のソケットコンタクト２は、相手方ピンコンタクト３が挿入された状態を示している。ソケットコンタクト２は軸方向にすり割りで分割され、挿入される相手方ピンコンタクトの接触摺動部分を弾性的に挟み囲む複数の接触片４を持ち、該接触片の先端部分が外側へ曲げ開かれている。ソケットコンタクト２の後方に設けられたスリーブ止め凸部５から、前記接触片４の先端曲げ開き部分６の曲がり始め部までに被せられた筒状スリーブ７が装着されている。前記接触片４の先端曲げ開き部分６の最先端外周は、その外周径が筒状スリーブの内径より大であるため、筒状スリーブに覆い被さった状態となる。
【００１６】
そのため、相手方ピンコンタクト３の挿入方向が逸れて、ソケットコンタクト２の先端曲げ開き部分６に突き当たっても、筒状スリーブ７の縁が支えとなって座屈することがない。
【００１７】
なお、ソケットコンタクト２に筒状スリーブ７を被せるときは、先端曲げ開き部分６を窄めて筒状スリーブ７に挿入する。相手方ピンコンタクトが挿入されるガイド部８はすり鉢形の形状であり、挿入ピンをスムーズにソケットコンタクト２まで導くことができる構造となっている。図１（ａ）の右側半分は該ソケットコンタクトに前記ピンコンタクト３が挿入された状態を示し、該ピンコンタクトの接触摺動部分は、前記接触片４の接触摺動部分とは平行でほぼ前面に亙り密着しているため、接触面積が十分に確保でき、高い接触信頼性を保持できる構造となっている。
【００１８】
図１の（ｂ）は座屈防止ソケットコネクタの正面図であり、左右のソケットコンタクトは共に接触片数が２つの場合で、かつピンコンタクトがソケットコンタクトに挿入されていない状態を示している。
なお、筒状スリーブ７は、スリーブ止め凸部５と先端曲げ開き部分との間で遊動するように取り付けられている。
【００１９】
図２は、図１に示した座屈防止ソケットコネクタの側面の断面図で、ソケットコンタクト２が正常位置で係止している状態を示している。ソケットコンタクトはコンタクト中程の背面に可撓係止片９を設けており、該可撓係止片９がインシュレータ１に設けた後抜け防止凹部１０に収まって係止する構造となっている。
【図面の簡単な説明】
【００２０】
【図１】本発明の座屈防止ソケットコネクタの実施例を示す平断面図及び正面図である。
【図２】図１の側面断面図である。
【図３】従来の座屈防止コネクタの説明図である。
【符号の説明】
【００２１】
１  インシュレータ
２  ソケットコンタクト
３  ピンコンタクト
４  接触片
５  スリーブ止め凸部
６  先端曲げ開き部分
７  筒状スリーブ
８  ガイド部
９  可撓係止片
１０  抜け防止凹部
２１  高密度ソケットコンタクト
２２  ハウジング
２３  接点バネ
２４  座屈防止ランス
２５  突起
２６  雌コネクタ
２７  ピンコンタクト
【図１】
2005310564.tif 000003
【図２】
2005310564.tif 000004
【図３】
2005310564.tif 000005